(57)【要約】【課題】  材料供給用押出機の上流側のホッパへガスが逆流した場合も周囲にガスが拡散することを防ぎつつ、後段の高温高圧の高圧容器で混合物を反応させて高分子処理物を生成する方法とその装置を提供する。【解決手段】  ホッパ１３から高分子化合物を材料供給用押出機１に投入し、その高分子化合物を押出しながら途中で薬剤を該材料供給用押出機１に注入し、該高分子化合物と該薬剤を該材料供給用押出機１の中で混練しながら、高温高圧の高圧容器１００の中へ該高分子化合物と該薬剤の混合物を吐出して反応させ、高分子処理物を生成するにおいて、材料供給用押出機１のホッパ１３に薬剤拡散防止用ボックス２１を取り付け、材料供給用押出機１からホッパ１３を介して排出されるガスを局所排気するようにする。【選択図】  図１
2006143802.tif 000002
【特許請求の範囲】
【請求項１】
ホッパから高分子化合物を材料供給用押出機に投入し、その高分子化合物を押出しながら途中で薬剤を該材料供給用押出機に注入し、該高分子化合物と該薬剤を該材料供給用押出機の中で混練しながら、高温高圧の高圧容器の中へ該高分子化合物と該薬剤の混合物を吐出して反応させ、高分子処理物を生成する方法において、材料供給用押出機のホッパに薬剤拡散防止用ボックスを取り付け、材料供給用押出機からホッパを介して排出されるガスを局所排気することを特徴とする高分子化合物の処理方法。
【請求項２】
ホッパから高分子化合物を材料供給用押出機に投入し、その高分子化合物を押出しながら途中で薬剤を該材料供給用押出機に注入し、該高分子化合物と該薬剤を該材料供給用押出機の中で混練しながら、高温高圧の高圧容器の中へ該高分子化合物と該薬剤の混合物を吐出して反応させ、高分子処理物を生成する装置において、材料供給用押出機のホッパに薬剤拡散防止用ボックスを取り付け、該薬剤拡散防止用ボックスに局所排気装置を接続したことを特徴とする高分子化合物の処理装置。
【請求項３】
局所排気装置は、薬剤拡散防止用ボックスに開閉バルブを介してトラップが接続され、そのトラップに真空ポンプが接続されて構成される請求項２記載の高分子化合物の処理装置。
【請求項４】
前記材料供給用押出機に反応容器を接続し、その反応容器からの前記高分子処理物と薬剤との反応処理物を、圧力調整手段によって反応容器の圧力よりも減圧された状態で、脱気用押出機に導入し、脱気用押出機のバックベントにベントボックスを接続し、脱気用押出機で高分子処理物と前記薬剤とを分離し、前記分離された高分子処理物を脱気用押出機によって押出成形すると共に分離された薬剤のガスをベントボックスに導入し、ベントボックスからトラップを介して真空ポンプを介して排気する請求項２記載の高分子化合物の処理装置。
【請求項５】
ベントボックスに接続されているトラップが、薬剤拡散防止用ボックスに接続されている請求項４記載の高分子化合物の処理装置。
【請求項６】
材料供給用押出機の薬剤拡散防止用ボックスにガスセンサーが取り付けられており、薬剤拡散防止用ボックスに薬剤が逆流したときに、自動的に薬剤拡散防止用ボックスとトラップ間のバルブが開くようにした請求項２〜５いずれかに記載の高分子化合物の処理装置。
【発明の詳細な説明】
【技術分野】
【０００１】
本発明は、高分子化合物を変性反応、分解反応、架橋ポリマーの架橋点又は分子鎖を切断して熱可塑性樹脂又はワックスとする高分子化合物の処理方法及びその装置に関し、特に材料供給用押出機を用いて高分子化合物と超臨界状態の薬剤を反応させる高分子化合物の処理方法及びその装置に関する。
【背景技術】
【０００２】
近年、環境問題が重要となる中で、廃棄物処理費用が年々高くなっている。高分子についても再生再利用の気運が高まっている。こうした動きの中で、熱可塑性樹脂は加熱すれば流動性を増して再度成形可能であることから、マテリアルリサイクルが進みつつある。しかしその一方で、熱硬化性樹脂や架橋ポリマー、エラストマーなどは、加熱しても分子の三次元的なネットワークのために流動化が生じず、成形ができないのでマテリアルリサイクルが困難である。このため、一部でサーマルリサイクルが行なわれている他は、多くの場合が埋立等によって廃棄処分されている。
【０００３】
このような熱硬化性樹脂や架橋ポリマーについても、マテリアルリサイクルを実施しようとする動きが高まり、様々な研究が報告されている。例えば、分子中の三次元ネットワーク構造を崩して熱可塑化し、これを再利用する方法や、ポリマーの主鎖を切って低分子化することでワックス化し、これを樹脂や建築材などへの添加剤として再利用することが考えられている。
【０００４】
こうした手法を実用規模とするには、ポリマーを連続的に処理するプロセスが必須であり、これには押出機の使用が適している。安定な熱硬化性樹脂や架橋ポリマーの分子中の三次元ネットワークを崩して熱可塑化するためには、熱や圧力が必要であるが、押出機を用いると、これに必要な条件を容易に得ることができる。ワックス化の場合も同様である。また、熱可塑化する場合には、熱硬化性樹脂又は架橋ポリマーと共に熱可塑性樹脂や薬剤を添加することが多いが、押出機を用いることによって、こうした添加物を容易に導入することもできる。
【０００５】
例えば、特許文献１では、架橋ポリエチレンと水とを材料供給用押出機に供給し、水が材料供給用押出機内で超臨界又は亜臨界となる条件即ち、温度２００〜１０００℃、圧力２〜１００ＭＰａで押出し、熱可塑性材料とする方法が示されている。
【０００６】
特許文献２では、架橋ポリマを材料供給用押出機より押出し高温高圧流体と共に反応器に導入して反応物を生成し、その反応物を分離機に導入して反応物と高温流体とに分離し、その反応物を脱気用押出機にて外部に排出することが示されている。
【０００７】
【特許文献１】特開２００１−２５３９６７号公報
【特許文献２】特開２００２−２４９６１８号公報
【発明の開示】
【発明が解決しようとする課題】
【０００８】
特許文献１では水が化学反応によって熱硬化性樹脂又は架橋ポリマーを熱可塑化する薬剤として作用している。一方、特許文献２では、反応薬剤と熱硬化性樹脂を混合した後にそれらを分離するために、ポリマーとガスの混合物を分離するための分離槽を設け、高圧状態を保持するために分離槽の上流に圧力調整用の弁を使用している。
【０００９】
これらの従来例では、高い圧力を押出機で保持しているものの、そのような高圧の水やガス、薬剤等が押出機のホッパ側に逆流した場合の対策について有効な手段が示されていないため、工業的に多量のポリマーを処理するには問題があった。
【００１０】
我々は、特許文献２の装置の実用化を検討するにあたり、条件によってはガスが材料供給用押出機の上流側に逆流し、さらにはホッパから噴出する可能性があることを見出した。
【００１１】
本発明の目的は、材料供給用押出機を用いて高分子化合物を押出しながら薬剤を該材料供給用押出機に注入する方法において、材料供給用押出機の上流側のホッパへガスが逆流した場合も周囲にガスが拡散することを防ぎつつ、該高分子化合物と該薬剤を該材料供給用押出機の中で混練しながら、高温高圧の高圧容器の中へ該高分子化合物と該薬剤の混合物を吐出して反応させ、高分子処理物を生成する方法とその装置を提供することにある。
【課題を解決するための手段】
【００１２】
本発明は、前述の問題に鑑み、反応薬剤と樹脂の混合物を材料供給用押出機の中で混練する際に、材料供給用押出機の上流側のホッパへ薬剤のガスが逆流した場合も周囲にガスが拡散することを防ぐことが可能な装置を実現するための技術を種々検討することによってなされたものである。
【００１３】
請求項１の発明は、ホッパから高分子化合物を材料供給用押出機に投入し、その高分子化合物を押出しながら途中で薬剤を該材料供給用押出機に注入し、該高分子化合物と該薬剤を該材料供給用押出機の中で混練しながら、高温高圧の高圧容器の中へ該高分子化合物と該薬剤の混合物を吐出して反応させ、高分子処理物を生成する方法において、材料供給用押出機のホッパに薬剤拡散防止用ボックスを取り付け、材料供給用押出機からホッパを介して排出されるガスを局所排気することを特徴とする高分子化合物の処理方法である。
【００１４】
請求項２の発明は、ホッパから高分子化合物を材料供給用押出機に投入し、その高分子化合物を押出しながら途中で薬剤を該材料供給用押出機に注入し、該高分子化合物と該薬剤を該材料供給用押出機の中で混練しながら、高温高圧の高圧容器の中へ該高分子化合物と該薬剤の混合物を吐出して反応させ、高分子処理物を生成する装置において、材料供給用押出機のホッパに薬剤拡散防止用ボックスを取り付け、該薬剤拡散防止用ボックスに局所排気装置を接続したことを特徴とする高分子化合物の処理装置である。
【００１５】
請求項３の発明は、局所排気装置は、薬剤拡散防止用ボックスに開閉バルブを介してトラップが接続され、そのトラップに真空ポンプが接続されて構成される請求項２記載の高分子化合物の処理装置である。
【００１６】
請求項４の発明は、前記材料供給用押出機に反応容器を接続し、その反応容器からの前記高分子処理物と薬剤との反応処理物を、圧力調整手段によって反応容器の圧力よりも減圧された状態で、脱気用押出機に導入し、脱気用押出機のバックベントにベントボックスを接続し、脱気用押出機で高分子処理物と前記薬剤とを分離し、前記分離された高分子処理物を脱気用押出機によって押出成形すると共に分離された薬剤のガスをベントボックスに導入し、ベントボックスからトラップを介して真空ポンプを介して排気する請求項２記載の高分子化合物の処理装置である。
【００１７】
請求項５の発明は、ベントボックスに接続されているトラップが、薬剤拡散防止用ボックスに接続されている請求項４記載の高分子化合物の処理装置である。
【００１８】
請求項６の発明は、材料供給用押出機の薬剤拡散防止用ボックスにガスセンサーが取り付けられており、薬剤拡散防止用ボックスに薬剤が逆流したときに、自動的に薬剤拡散防止用ボックスとトラップ間のバルブが開くようにした請求項２〜５いずれかに記載の高分子化合物の処理装置である。
【００１９】
本発明はさらに以下の特徴を備えていることが好ましい。
【００２０】
脱気用押出機で薬剤を分離した後、その薬剤から不純物を分離する不純物分離工程と、該不純物を分離した前記薬剤を貯蔵し前記材料供給用押出機に導入する薬剤貯蔵工程を有することが好ましい。
【００２１】
脱気用押出機で薬剤を分離するために、脱気用押出機がベント機構を有していることが好ましい。
【００２２】
脱気用押出機で薬剤を分離するために、脱気用押出機のベント機構がトラップを介して真空ポンプに接続されていることが好ましい。
【００２３】
ベント機構が接続されているトラップが、薬剤拡散防止用ボックスに接続されていることが好ましい。
【００２４】
高分子処理物を冷却する冷却工程と、該冷却された前記高分子処理物を切断する切断工程を有することが好ましい。
【００２５】
前記反応は、例えば変性反応、分解反応及び架橋切断反応のいずれかである。
【００２６】
前記高分子化合物が架橋ポリマーであり、前記薬剤がアルコール類又はアルコール類を含む混合物であることが好ましい。
【００２７】
材料供給用押出機の内部で粉砕された高分子化合物と該高分子化合物と反応させる薬剤とを高温高圧で混合攪拌することが好ましい。
【００２８】
材料供給用押出機の薬剤拡散防止用ボックスにガスセンサーが取り付けられており、薬剤拡散防止用ボックスに薬剤が逆流した場合には自動的に薬剤拡散防止用ボックスとトラップ間のバルブが開くようにすることが好ましい。
【００２９】
以上のように材料供給用押出機を用いて高分子化合物を押出しながら薬剤を該材料供給用押出機のシリンダーに注入し、該高分子化合物と該薬剤を該材料供給用押出機のシリンダーの中で混練しながら、高温高圧の高圧容器の中へ該高分子化合物と該薬剤の混合物を吐出して反応させ、高分子処理物を生成する方法においては、通常の運転時には高圧容器へスクリューで注入している樹脂でガスの逆流を防止している。したがって、材料の供給が止まったり供給量にばらつきが発生した場合ガスが逆流してホッパから噴出する問題がある。
【００３０】
これに対し、薬剤拡散防止用ボックスを取り付ければ、材料供給用押出機の上流側に位置するホッパへ薬剤のガスが逆流した場合も周囲にガスを拡散することなしに高分子処理物を得ることが可能となる。
【００３１】
薬剤拡散防止用ボックスは、内部に逆流した薬剤のガスを排出する機構を備えていなければ該薬剤拡散防止用ボックス内にガスが滞留したり、該薬剤拡散防止用ボックスから溢れる可能性が考えられる。可燃性ガスの場合、引火する問題があるため、局所排気装置が取り付けられている。
【００３２】
さらに、薬剤拡散防止用ボックスがバルブを介して真空ポンプのトラップへ接続され、ガスが逆流した場合にこのバルブを開けることによりガスを捕集できる方が、多量にポリマーとガスが一気に噴出した場合もそれらを回収して再利用ができるのでより好ましい。
【００３３】
薬剤拡散防止用ボックスは押出機のホッパ部分に一般的に取り付けられているシュータの周囲を取り囲んで、逆流した場合はシュータから溢れ出ると思われるガスが周囲に拡散しないように取り付けることが望ましい。
【００３４】
また、薬剤拡散防止用ボックスが接続された真空ポンプのトラップの大きさＶｔは、少なくとも高圧容器の大きさＶと同じ大きさ以上であることが望ましい。より望ましくは圧力Ｐ（ａｔｍ）からＶｔ＝Ｐ×Ｖであればより確実に逆流したガスを捕集することが可能である。
【００３５】
また、薬剤拡散防止用ボックスが接続された局所排気用のファンの入り口にはフィルターを取り付けてガスが噴出すると同時に噴出する可能性がある高分子材料の粉末等を吸引しないようにした方が良い。
【００３６】
高分子処理物と薬剤を脱気用押出機に導入し前記高分子処理物と前記薬剤とを分離し、前記分離された高分子処理物を脱気用押出機によって成形する場合は、薬剤拡散防止用ボックスと脱気用押出機のベント機構とが同じトラップに接続されていればトラップ及び真空ポンプを２つの目的のために兼用することが可能である。
【００３７】
本発明で言う高分子化合物とは、架橋ポリマー、プラスチックやエラストマー等の熱硬化性樹脂の合成高分子に加えて、リグニン、セルロース、タンパク質等の天然高分子、更には合成高分子と天然高分子混合物を含んでいる。また、シュレッダーダストのように、高分子を主として、これに他の材料が混合したものでもよい。
【００３８】
特に、高分子化合物として架橋ポリマー、薬剤としてアルコール類又はアルコール類を含む混合物を用いた場合に、このような装置構成が有効に機能する。また、このような装置構成は、薬剤による反応を容易にするために、超臨界条件のような高圧状態で連続的に高分子化合物を化学処理する場合に特に有効である。
【発明の効果】
【００３９】
材料供給用押出機を用いて高分子化合物を押出しながら、薬剤を該材料供給用押出機のシリンダーに注入し、該高分子化合物と該薬剤を該材料供給用押出機のシリンダーの中で混練しながら、高温高圧の高圧容器の中へ該高分子化合物と該薬剤の混合物を吐出して反応させ、高分子処理物を生成する方法において、材料供給用押出機のホッパに局所排気装置を兼ねた薬剤拡散防止用ボックスが取り付ければ、高圧の水やガス、薬剤等が押出機のホッパ側に逆流した場合にも周囲にガスが拡散することを防ぐことが可能となり、安全に高分子処理物を生成する方法とその装置を提供することができる。
【発明を実施するための最良の形態】
【００４０】
以下本発明の実施の形態を添付図面により説明する。
【００４１】
図１は、本発明の高分子化合物の処理方法及びその装置の一実施の形態を示し、特に高分子化合物としての架橋ポリエチレンの架橋切断処理の一例を示すフロー図である。
【００４２】
ペレット状に粉砕された架橋ポリエチレンはホッパ１３を介して材料供給用押出機１に投入される。
【００４３】
ホッパ１３には薬剤拡散防止用ボックス２１が取り付けられており、これに局所排気用のファン２２が取り付けられている。少量のガスが定常的に逆流する場合はこのファン２２でガスを排気する。さらにバルブ２３を介してトラップ１６および真空ポンプ１９が接続されており、多量のガスが一気に逆流した場合はバルブ２３を開放してポリマーと一緒にガスをトラップ１６に捕集する。バルブ２３はホッパ１３に取り付けられたガスセンサー２４でアルコールを検知した場合に自動的に開放される機構２５を備えている。
【００４４】
材料供給用押出機は３０ｍｍ  Ｌ／Ｄ＝６６を用いる。一方、反応に要するエタノールは、薬剤タンク１８から薬剤タンクバルブ１７を通り、薬剤注入ポンプ１５で加圧されると共に、薬剤加熱ヒータ１４によって加熱されて材料供給用押出機１に圧力５ＭＰａで注入される。その注入位置は、架橋ポリエチレンが材料供給用押出機１内で１ＭＰａ以上に加圧されて高密度化された位置よりも下流で、かつ加圧部の長さがＬ／Ｄ＝５以上であり、それにより薬剤の気化による上流側への漏れが防止される。材料供給用押出機１は、吐出し難い架橋ポリエチレンを送るために２軸の押出機を用いた。薬剤注入ポンプ１５では材料供給用押出機１の内部の圧力以上に加圧することが必要であり、また、薬剤加熱ヒータ１４により、材料供給用押出機１で昇温した高分子化合物の温度が下がらない程度に昇温する事が望ましい。
【００４５】
材料供給用押出機１内では、投入した架橋ポリエチレンと注入した薬剤がスクリューにより混合攪拌される。この際、少なくとも材料供給用押出機１の一部分において、薬剤であるエタノールが超臨界状態となる温度、圧力条件になるようにすると、架橋ポリエチレンの架橋切断反応が充分に進み、良好な高分子処理物が得られる。ここでは、反応時間を十分確保するために、容積５０Ｌの流通式反応容器１００を押出機１に接続した。
【００４６】
材料供給用押出機１および流通式反応容器１００で可塑化された架橋ポリエチレンの高分子処理物及び薬剤であるエタノールの混合物は、減圧バルブ１１で減圧され、さらに段階的に圧力を下げるために複数の穴の空いた抵抗体としてブレーカプレート３１を取り付けて樹脂の減圧を段階的に行う。さらに後段には脱気用押出機２が接続され、ここで粘調な液体の高分子処理物はスクリューによって押出機２の吐出方向へ押出すとともに、気体は圧力の低いバックベントのベントボックス８へと流れることにより、高分子処理物と薬剤が分離される。ベントボックス８は電熱ヒータによる加熱ヒータ１０によって熱せられ、高分子処理物が流動性を示す温度に保たれる。ベントボックス８内部は常圧よりやや高くかつ反応容器１００よりは低い圧力に維持されており、これによって、高分子処理物が容易にベントボックス８外に排出される。
【００４７】
ベントボックス８では軽いガスは槽の上方から分離され、高分子処理物が逆流した場合も槽の下に高分子処理物が溜まって、槽の下部に設けられた穴から自重で脱気用押出機２に送られ、その先端部のダイ３によって成形される。脱気用押出機２は一軸又は二軸の押出機が使用可能である。ここでは糸状のストランド５として成形され、冷却器４によってほぼ常温に冷却固化される。ストランド５はストランドカッタ６によってペレット７となる。
【００４８】
成型用押出機２は樹脂から薬剤を完全に除去するためにベント９が設けられている。ここではベント９からの配管は調整用のバルブ９１を介して真空ポンプ１９に接続したが、たとえばトラップ１６に接続してもよい。
【００４９】
一方、ベントボックス８で高分子処理物と分離された薬剤であるエタノールは、槽圧調整バルブ１２を介して常圧となり、トラップ１６に送られる。トラップ１６では、エタノールに混入したポリエチレン等の不純物を、フィルターにより分離すると同時に沸点の差を利用して分留する。エタノールは薬剤タンク１８に戻され、不純物は真空ポンプ１９で吸引されて燃焼装置２０によって焼却無害化される。
【００５０】
このような装置構成は、高温高圧で高分子化合物とガス状の薬剤を押出機中で高温高圧状態にして混合する処理を行う際、気化した薬剤が上流側へ逆流する場合において特に有効である。特許文献１，２のように逆流した場合のガスの拡散防止機構を有しない場合、樹脂の供給が不安定になった場合等で高分子処理物によるシールが不十分となると、ホッパに漏れた高温のガスや樹脂がホッパ周辺に一気に噴出し周囲に拡散するので問題がある。
【００５１】
一方、薬剤拡散防止用ボックスを取り付けてガスを排気あるいは捕集すれば周囲に高温のガスや樹脂を拡散させることがなく安全に運転可能である。
【００５２】
このようにして得られた高分子処理物は、減圧バルブ１１を介して溶融状態の高分子処理物と気体の薬剤とが連続してではなく、断続的に出た場合、気体は圧縮状態から膨張するために、液体である高分子処理物を巻込んで勢い良く噴出する。この場合、ベントボックス８の容積が十分大きいために圧力の変化に対して緩衝作用が働き、樹脂の吐出方向の圧力変動を抑制する。このようにしてホッパ１３側へガスが逆流した場合にも安全な方法で連続的にスムーズな高分子処理物の成形が可能となる。
【００５３】
ここでは、アルコールを５ＭＰａで注入した。原料の供給量がアルコールの注入量に対して５０％を超えた場合、注入位置より上流に位置するホッパ１３にアルコールのミストが発生して逆流したが局所排気で吸引することで周囲にはまったく拡散しなかった。さらに原料の供給量を少なくして運転を続けた結果、ホッパ１３側からアルコールが多量に噴出したが、バルブ２３が開放されることでトラップ１６にアルコールおよび高分子処理物を回収することができ周囲に高温のアルコールを飛散させずに運転することができた。
【００５４】
図２は、本発明の他の実施の形態を示したものである。
【００５５】
本実施の形態では図２に示すように、図１における材料供給用押出機１と流通式反応管からなる高圧容器１００の間にバルブ１１ａを導入したものである。
【００５６】
図１の実施の形態と同様に運転した結果、アルコールのミストが発生した時点でこのバルブ１１ａを閉めることによって、高圧容器１００内のアルコールが全てホッパ１３に噴出することを防止でき、より安全に運転することが可能になる。
【００５７】
図３は本発明の比較例として架橋ポリエチレンの架橋切断処理装置を示すフロー図である。
【００５８】
この比較例においては、図１の実施の形態における薬剤拡散防止用ボックスが無い装置とした。
【００５９】
この装置を用いた場合、アルコールを５ＭＰａで注入すると注入位置より上流に位置するホッパ１３にアルコールのミストが発生し、アルコールが逆流した。さらに運転を続けた結果、ホッパ１３側からアルコールが多量に噴出し、周辺１０ｍ程度までアルコールが飛散したため連続運転を続けることができなかった。
【図面の簡単な説明】
【００６０】
【図１】本発明の高分子化合物の処理装置の一実施の形態を示すシステム図である。
【図２】本発明の他の実施の形態を示すシステム図である。
【図３】比較例としての高分子化合物の処理装置の全体構成を示すシステム図である。
【符号の説明】
【００６１】
１  材料供給用押出機
２  脱気用押出機
３  ダイ
４  冷却器
５  ストランド
６  ストランドカッタ
７  ペレット
８  ベントボックス
９  ベント
１０  ベントボックスヒータ
１１  減圧バルブ
１２  槽圧調整バルブ
１３  原料ホッパ
１４  薬剤加熱ヒータ
１５  薬剤加圧ポンプ
１６  トラップ
１７  薬剤タンクバルブ
１８  薬剤タンク
１９  真空ポンプ
２０  燃焼装置
３１  ブレーカプレート
１００  流通式反応容器
【図１】
2006143802.tif 000003
【図２】
2006143802.tif 000004
【図３】
2006143802.tif 000005